(57)【要約】【課題】維持電極用フレキシブル配線板に接続不良が生じたときに直ちに検知することができるプラズマディスプレイ装置を提供する。【解決手段】複数の維持電極２３の一方の端部に共通に接続される短絡用配線２７を形成したプラズマディスプレイパネルと、維持電極に駆動電圧を供給する維持電極駆動回路５４と、維持電極駆動回路５４と短絡用配線２７とを電気的に接続するフレキシブル配線板５４９とを有し、フレキシブル配線板５４９に、維持電極に駆動電圧を供給するための駆動用導線５４７と、短絡用配線２７に電気的に接続される接続確認用導線５４８とを設け、かつ前記維持電極駆動回路５４と前記短絡用配線２７との電気的な接続不良を検知する接続不良検知回路５００とを備えたことを特徴とする。【選択図】図１１
2008083138.tif 000002
【特許請求の範囲】
【請求項１】
前面板上に複数の走査電極および維持電極を形成するとともに前記複数の維持電極の一方の端部に共通に接続される短絡用配線を形成したプラズマディスプレイパネルと、前記維持電極に駆動電圧を供給する維持電極駆動回路と、前記維持電極駆動回路と前記短絡用配線とを電気的に接続するフレキシブル配線板とを有し、
前記フレキシブル配線板に、前記維持電極に駆動電圧を供給するための駆動用導線と、前記駆動用導線とは電気的に絶縁して形成されかつ前記短絡用配線に電気的に接続される接続確認用導線とを設け、かつ前記フレキシブル配線板の接続確認用導線と電気的に接続され前記維持電極駆動回路と前記短絡用配線との電気的な接続不良を検知する接続不良検知回路とを備えたことを特徴とするプラズマディスプレイ装置。
【請求項２】
前記接続不良検知回路は、前記接続確認用導線から出力される駆動電圧を抵抗分割する複数の抵抗と、抵抗分割された駆動電圧を平滑化するコンデンサと、前記コンデンサにカソードを接続したダイオードと、前記ダイオードのアノードに接続され前記コンデンサの電圧が所定の電圧以下となったときに出力信号を変位させるスイッチング回路を備えたことを特徴とする請求項１に記載のプラズマディスプレイ装置。
【請求項３】
前記維持電極駆動回路および前記接続不良検知回路を同一基板上に搭載したことを特徴とする請求項１に記載のプラズマディスプレイ装置。
【発明の詳細な説明】
【技術分野】
【０００１】
本発明は、大画面で、薄型、軽量の画像表示装置として知られているプラズマディスプレイ装置に関する。
【背景技術】
【０００２】
プラズマディスプレイパネル（以下、「パネル」と略記する）として代表的な交流面放電型パネルを用いたプラズマディスプレイ装置は、視野角が広く大画面化が容易であり、かつ自発光型であり画像表示品質が高いこと等から、大画面画像表示装置の主流となりつつある。
【０００３】
パネルは、対向配置された前面板と背面板との間に多数の放電セルが形成されている。前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面板と背面板とが対向配置されて密封され、内部の放電空間には、例えば分圧比で５％のキセノンを含む放電ガスが封入されている。ここで表示電極対とデータ電極とが対向する部分に放電セルが形成される。そして、パネルは、画像表示を行う画像表示領域とそれ以外の非表示領域とに分けられ、各電極はそれぞれの電極を前面板または背面板の画像表示領域外、すなわち非表示領域まで引き出して形成した引き出し部を備え、その引き出し部に駆動電圧を印加することで各電極を駆動する。
【０００４】
このような構成のパネルを用いたプラズマディスプレイ装置は、表示電極対に交互に維持パルスを印加して各放電セル内でガス放電を発生させ、このガス放電により発生した紫外線で赤色、緑色および青色の各色の蛍光体を励起発光させてカラー画像表示を行っている。
【０００５】
パネルを駆動する方法としては、サブフィールド法、すなわち、１フィールド期間を複数のサブフィールドに分割した上で、発光させるサブフィールドの組み合わせによって階調表示を行う方法が一般に用いられている。
【０００６】
各サブフィールドは、初期化期間、書込み期間および維持期間を有し、初期化期間では初期化放電を発生し、続く書込み動作に必要な壁電荷を各電極上に形成する。書込み期間では、表示を行うべき放電セルに選択的に書込みパルス電圧を印加して書込み放電を発生させ壁電荷を形成する。そして維持期間では、走査電極と維持電極とからなる表示電極対に交互に維持パルスを印加し、書込み放電を起こした放電セルで維持放電を発生させ、対応する放電セルの蛍光体層を発光させることにより画像表示を行う。
【０００７】
このようなプラズマディスプレイ装置においては、各電極それぞれの引き出し部と、各駆動回路のそれぞれの出力部とをフレキシブル配線板（以下、「ＦＰＣ」と記す）によって電気的に接続し、ＦＰＣを介して各電極に駆動電圧を印加してパネルを駆動している。例えば、各駆動回路の出力部はＦＰＣと接続するために設けたコネクタを備えており、一方の端部をパネルの引き出し部に固着したＦＰＣの他方の端部をそのコネクタに接続することで、各電極と各駆動回路とを電気的に接続している。
【０００８】
このとき、走査電極およびデータ電極に関しては、各電極をそれぞれ独立して駆動するため、正しく接続されていないＦＰＣが１つでもあれば、画像の表示不良が生じる。したがって、表示画像を確認することで、ＦＰＣに関する接続不良を検知することができる。
【０００９】
一方、維持電極に関しては、全ての維持電極に対し同じ駆動電圧を共通に印加して駆動する。したがって、全ての維持電極が共通して接続される短絡用配線を形成し、この短絡用配線を介して、１つの維持電極駆動回路が全ての維持電極を駆動する構成とすることができる。そのため、このような構成の場合、接続不良のＦＰＣがあったとしても、正しく接続されたＦＰＣから短絡用配線を介して全ての維持電極に駆動電圧が印加されるため、パネルには正常な画像が表示される。そのため、表示画像を一見しただけでは、全てのＦＰＣが正常に接続されているかどうかを判別することは難しい。
【００１０】
しかしながら、維持電極に関するＦＰＣに接続不良が発生した場合には、そのＦＰＣを介して流れるはずの電流が、正常に接続されているＦＰＣを介して流れるようになるため、正常に接続されているＦＰＣに過負荷がかかる恐れがある。また、近年では、パネルのさらなる大画面化により駆動の際に流れる電流量も増加しているため、そのような場合の負荷はさらに大きくなる傾向にある。
【００１１】
そこで、パネルとパネルを駆動する駆動回路とを接続するＦＰＣの各回路パタ−ンに温度指示塗料を塗った抵抗を電気的に直列に配することにより、接続不良を塗料の色変化によって検出できるようにした技術が提案されている（例えば、特許文献１参照）。これにより、接続状態の確認作業が短時間で簡単正確に行なえるようになり、検査工数の削減及び能率の向上を図ることができる。
【特許文献１】特開平２−１８６５３１号公報
【発明の開示】
【発明が解決しようとする課題】
【００１２】
しかしながら、この技術では、ＦＰＣの接続部分を目視することが可能な製造工程等では接続状態を確認することができるが、例えば、製品の搬送の際に生じる振動や衝撃等により、維持電極に関するＦＰＣに接続不良が発生した場合には、それを検知することは難しい。
【００１３】
本発明はこれらの課題に鑑みなされたものであり、維持電極駆動回路と短絡用配線との間に接続不良が生じたときに、直ちにそれを検知することが可能なプラズマディスプレイ装置を提供することを目的とする。
【課題を解決するための手段】
【００１４】
この課題を解決するために、本発明は、前面板上に複数の走査電極および維持電極を形成するとともに前記複数の維持電極の一方の端部に共通に接続される短絡用配線を形成したプラズマディスプレイパネルと、前記維持電極に駆動電圧を供給する維持電極駆動回路と、前記維持電極駆動回路と前記短絡用配線とを電気的に接続するフレキシブル配線板とを有し、前記フレキシブル配線板に、前記維持電極に駆動電圧を供給するための駆動用導線と、前記駆動用導線とは電気的に絶縁して形成されかつ前記短絡用配線に電気的に接続される接続確認用導線とを設け、かつ前記フレキシブル配線板の接続確認用導線と電気的に接続され前記維持電極駆動回路と前記短絡用配線との電気的な接続不良を検知する接続不良検知回路とを備えたことを特徴とする。
【００１５】
この構成により、例えば維持電極駆動回路と短絡用配線とを電気的に接続するためのＦＰＣと短絡用配線との間に接続不良が生じたときに、直ちにそれを検知することが可能となる。
【００１６】
また、本発明のプラズマディスプレイ装置において、接続不良検知回路は、接続確認用導線から出力される駆動電圧を抵抗分割する複数の抵抗と、抵抗分割された駆動電圧を平滑化するコンデンサと、コンデンサにカソードを接続したダイオードと、前記ダイオードのアノードに接続されコンデンサの電圧が所定の電圧以下となったときに出力信号を変位させるスイッチング回路とを備えたものである。これにより、１００（Ｖ）を超える維持パルス電圧を抵抗分割するとともに平滑化してコンデンサに充電し、維持電極駆動回路と短絡用配線との間に接続不良が発生したときには、コンデンサの電圧を低下させてスイッチング回路の出力信号を変位させることができるようになるので、維持電極駆動回路と短絡用配線との間に電気的な接続不良が発生したときに直ちにそれを検知することが可能となる。
【００１７】
また、本発明のプラズマディスプレイ装置においては、維持電極駆動回路および接続不良検知回路を同一基板上に搭載したものである。これにより、短絡用配線と接続されたＦＰＣを、同一基板上に配置した維持電極駆動回路と接続不良検知回路とに、１つのコネクタを介して接続することができるので、維持電極駆動回路と短絡用配線との電気的な接続の確認を、さらに高精度に行うことができる。
【発明の効果】
【００１８】
本発明によれば、維持電極駆動回路と短絡用配線との間に接続不良が生じたときに、直ちにそれを検知することが可能なプラズマディスプレイ装置を提供することができる。
【発明を実施するための最良の形態】
【００１９】
以下、本発明の一実施の形態におけるプラズマディスプレイ装置について、図面を用いて説明する。
【００２０】
図１は、本発明の実施の形態におけるパネル１０の構造を示す分解斜視図である。前面板２０はガラス製の前面基板２１を有する。前面基板２１上には、走査電極２２と維持電極２３とからなる表示電極対２４が複数形成されている。そして走査電極２２と維持電極２３とを覆うように誘電体層２５が形成され、その誘電体層２５上に保護層２６が形成されている。
【００２１】
背面板３０はガラス製の背面基板３１を有する。背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００２２】
これら前面板２０と背面板３０とは、微小な放電空間を挟んで表示電極対２４とデータ電極３２とが交差するように対向配置され、その外周部をガラスフリット等の封着材によって封着されている。そして放電空間には、例えばネオンとキセノンの混合ガスが放電ガスとして封入されている。放電空間は隔壁３４によって複数の区画に仕切られており、表示電極対２４とデータ電極３２とが交差する部分に放電セルが形成されている。そしてこれらの放電セルが放電、発光することにより画像が表示され、パネル１０は、画像表示を行う画像表示領域とそれ以外の非表示領域とに分けられる。
【００２３】
なお、パネル１０の構造は上述したものに限られるわけではなく、例えばストライプ状の隔壁を備えたものであってもよい。
【００２４】
図２は、本発明の実施の形態におけるパネル１０の電極配列図である。パネル１０には、行方向に延長されたｎ本（本実施の形態においては、ｎ＝１０８０）の走査電極ＳＣ１〜ＳＣｎ（図１の走査電極２２）およびｎ本の維持電極ＳＵ１〜ＳＵｎ（図１の維持電極２３）が配列され、列方向に延長されたｍ本（本実施の形態においては、ｍ＝５７６０）のデータ電極Ｄ１〜Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。なお、図１、図２に示したように、走査電極ＳＣｉと維持電極ＳＵｉとは互いに平行に対をなして形成されているために、走査電極ＳＣ１〜ＳＣｎと維持電極ＳＵ１〜ＳＵｎとの間に大きな電極間容量Ｃｐが存在する。
【００２５】
図３は、本発明の実施の形態におけるパネル１０の部分拡大図である。維持電極２３は、パネル１０の非表示領域まで引き出されて形成された引き出し部を有する。維持電極２３は、共通して同じ駆動電圧を印加するために、全ての維持電極２３に共通に接続される短絡用配線２７を形成し、その短絡用配線２７に複数の引き出し電極２８を設けることで維持電極２３の引き出し部を形成している。
【００２６】
図４は、本発明の実施の形態におけるパネル１０にＦＰＣが接続された様子を示す概略図である。ＦＰＣ５３９は、柔軟な引き回しができるように柔軟性を有するプリント配線基板からなっており、ポリイミド等の一般に知られた柔軟な樹脂基板上に金属箔がプリントされて形成されたストライプ状の配線を有する構成となっている。このストライプ上の配線は互いに電気的に絶縁するように配線と配線との間に絶縁部が設けられている。ＦＰＣ５３９の一方の端部に設けられた電極端子は走査電極２２の引き出し電極の配置間隔にもとづいた間隔および配線幅に形成されており、ＦＰＣ５３９の他方の端部に設けられた電極端子は、ＦＰＣ５３９が接続されるコネクタに設けられた電極の配置間隔にもとづいた間隔および配線幅に形成されている。そして、ＦＰＣ５３９は、一方の端部に設けられた電極端子が走査電極２２の引き出し電極のそれぞれに電気的に接続された状態で前面板２０に固着されている。
【００２７】
維持電極用ＦＰＣ５４９は、ＦＰＣ５３９と同様に柔軟性を有するプリント配線基板からなっており、柔軟な樹脂基板上に金属箔がプリントされて形成された配線を有する構成となっている。配線部分は、維持電極２３に維持パルス電圧等の駆動電圧を伝達する働きを有する駆動用導線５４７と、駆動電圧を取り出すための接続確認用導線５４８とからなる。なお、駆動用導線５４７は、大電流を流すことができるように、幅の広い１つの配線として形成されている。また、ＦＰＣと引き出し電極との接続部分が振動や衝撃等によって外れるときには、ＦＰＣの端の方が先に剥がれやすいことが経験的にわかっているため、接続確認用導線５４８は、図４に示すように、維持電極用ＦＰＣ５４９の端に寄せて形成されている。駆動用導線５４７と接続確認用導線５４８との間には絶縁部が設けられており、互いに電気的に絶縁している。維持電極用ＦＰＣ５４９の一方の端部に設けられた電極端子は短絡用配線２７の引き出し電極２８の配置間隔にもとづいた間隔および配線幅に形成されており、維持電極用ＦＰＣ５４９の他方の端部に設けられた電極端子は、維持電極用ＦＰＣ５４９が接続されるコネクタに設けられた電極の配置間隔にもとづいた間隔および配線幅に形成されている。そして、維持電極用ＦＰＣ５４９は、一方の端部に設けられた電極端子が引き出し電極２８のそれぞれに電気的に接続された状態で前面板２０に固着されている。したがって、駆動用導線５４７から短絡用配線２７に伝達される駆動電圧は、短絡用配線２７を介して接続確認用導線５４８から取り出すことができる。
【００２８】
維持電極用ＦＰＣ５４９をこのような構成にすることで、維持電極駆動回路と短絡用配線２７との間に電気的な接続不良が発生したとき、例えば維持電極用ＦＰＣ５４９と引き出し電極２８との接続部分が外れ、維持電極用ＦＰＣ５４９と引き出し電極２８との間に接続不良が生じたときに、直ちにそれを検知することができるようにしている。
【００２９】
図５は、プラズマディスプレイ装置の回路ブロックの一例を示す図である。図５において、プラズマディスプレイ装置１は、前述したパネル１０と、画像信号処理回路５１と、データ電極駆動回路５２と、走査電極駆動回路５３と、維持電極駆動回路５４と、タイミング発生回路５５と、接続不良検知回路５００と、各回路ブロックに必要な電源を供給する電源回路（図示せず）とを備えている。
【００３０】
前述した画像信号処理回路５１は、入力された画像信号ｓｉｇをサブフィールド毎の発光・非発光を示す画像データに変換する。前述したデータ電極駆動回路５２はサブフィールド毎の画像データを各データ電極Ｄ１〜Ｄｍに対応する信号に変換し各データ電極Ｄ１〜Ｄｍを駆動する。前述したタイミング発生回路５５は水平同期信号Ｈ、垂直同期信号Ｖをもとにして各回路ブロックの動作を制御する各種のタイミング信号を発生し、それぞれの回路ブロックへ供給する。前述した走査電極駆動回路５３は、タイミング信号にもとづき、維持期間においては維持パルスを発生させ、初期化期間においては傾斜波形電圧を発生させ、書込み期間においては走査パルスを発生させて各走査電極ＳＣ１〜ＳＣｎをそれぞれ駆動する。前述した維持電極駆動回路５４は、維持期間において維持パルスを発生するための維持パルス発生部２００を有し、タイミング信号にもとづいて維持電極ＳＵ１〜ＳＵｎを駆動する。前述した接続不良検知回路５００は、維持電極ＳＵ１〜ＳＵｎの駆動に用いるプリント基板（本実施の形態では、３枚）上にそれぞれ設けられ、短絡用配線２７に印加される維持電極ＳＵ１〜ＳＵｎを駆動するための電圧が、維持電極用ＦＰＣ５４９の接続確認用導線５４８から出力されるかどうかを検出し、維持電極駆動回路５４と短絡用配線２７との間の電気的な接続不良を検知する。
【００３１】
次に、維持電極駆動回路５４の詳細について説明する。
【００３２】
図６は、本発明の実施の形態におけるプラズマディスプレイ装置１の維持電極駆動回路５４の詳細を示す回路図である。維持パルス発生部２００は、電力回収部２１０とクランプ部２２０とを備え、電力回収部２１０は、電力回収用のコンデンサＣ２００と、スイッチング素子Ｑ２１１、Ｑ２１２と、逆流防止用のダイオードＤ２０１、Ｄ２０２と、共振用のインダクタＬ２００とを有し、クランプ部２２０は、スイッチング素子Ｑ２２１、Ｑ２２２を有する。
【００３３】
また、図６に示すように、維持電極駆動回路５４は、電圧Ｖｅ１を維持電極ＳＵ１〜ＳＵｎに印加するためのスイッチング素子Ｑ２３１、Ｑ２３２と、逆流防止用のダイオードＤ２３１と、電圧Ｖｅ１に電圧ΔＶｅを積み上げた電圧Ｖｅ２を維持電極ＳＵ１〜ＳＵｎに印加するためのスイッチング素子Ｑ２４１、Ｑ２４２と、充電用のコンデンサＣ２４１とを備えている。
【００３４】
なお、維持電極ＳＵ１〜ＳＵｎに関しては、後述するように全ての維持電極ＳＵ１〜ＳＵｎに対し共通して同じ駆動電圧を印加することができるため、維持電極駆動回路５４は維持電極ＳＵ１〜ＳＵｎを個別に駆動するための回路等を備えておらず、全ての維持電極ＳＵ１〜ＳＵｎが電気的に共通して維持電極駆動回路５４に接続される。
【００３５】
なお、接続不良検知回路５００の詳細については後述する。
【００３６】
次に、パネル１０を駆動するための駆動電圧波形とその動作について説明する。本実施の形態におけるプラズマディスプレイ装置は、パネル１０を駆動する方法としてサブフィールド法を用いている。これは、１フィールド期間を複数のサブフィールドに分割し、それぞれのサブフィールドで各放電セルの発光、非発光を制御することにより階調表示を行う方法である。そして、サブフィールドのそれぞれは、初期化期間、書込み期間および維持期間を有する。
【００３７】
初期化期間では放電セルで初期化放電を行い、続く書込み動作のために必要な壁電荷を形成する。書込み期間では、走査電極ＳＣ１〜ＳＣｎに順次走査パルスを印加するとともにデータ電極Ｄ１〜Ｄｍには表示すべき画像信号に対応した書込みパルスを印加して書込み放電を行い、選択的な壁電荷形成を行う。続く維持期間では発光させるべき表示輝度に応じた所定の回数の維持パルスを走査電極ＳＣ１〜ＳＣｎと維持電極ＳＵ１〜ＳＵｎとの間に印加し、書込み放電による壁電荷形成を行った放電セルを選択的に放電、発光させる。
【００３８】
図７は、プラズマディスプレイ装置の駆動電圧波形図である。図７には、２つのサブフィールドの駆動電圧波形、すなわち第１のサブフィールド（第１ＳＦ）および第２のサブフィールド（第２ＳＦ）の駆動電圧波形を示しているが、他のサブフィールドにおける駆動電圧波形もほぼ同様である。
【００３９】
第１ＳＦの初期化期間前半部では、データ電極Ｄ１〜Ｄｍおよび維持電極ＳＵ１〜ＳＵｎにそれぞれ０（Ｖ）を印加し、走査電極ＳＣ１〜ＳＣｎには、維持電極ＳＵ１〜ＳＵｎに対して放電開始電圧以下の電圧Ｖｉ１から、放電開始電圧を超える電圧Ｖｉ２に向かって緩やかに上昇する傾斜波形電圧を印加する。この傾斜波形電圧が上昇する間に、走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上部に負の壁電圧が蓄積されるとともに、データ電極Ｄ１〜Ｄｍ上部および維持電極ＳＵ１〜ＳＵｎ上部には正の壁電圧が蓄積される。ここで、電極上部の壁電圧とは電極を覆う誘電体層上、保護層上、蛍光体層上等に蓄積された壁電荷により生じる電圧を表す。
【００４０】
初期化期間後半部では、維持電極ＳＵ１〜ＳＵｎに、図６に示したダイオードＤ２３１およびスイッチング素子Ｑ２３１、Ｑ２３２を介して正の電圧Ｖｅ１を印加する。このとき、維持電極駆動回路５４からは、維持電極用ＦＰＣ５４９および短絡用配線２７を介して全ての維持電極ＳＵ１〜ＳＵｎに対し共通して電圧Ｖｅ１が印加される。なお、このときスイッチング素子Ｑ２４２はオンにし、コンデンサＣ２４１の電圧が電圧Ｖｅ１になるようにコンデンサＣ２４１に充電しておく。走査電極ＳＣ１〜ＳＣｎには、維持電極ＳＵ１〜ＳＵｎに対して放電開始電圧以下となる電圧Ｖｉ３から放電開始電圧を超える電圧Ｖｉ４に向かって緩やかに下降する傾斜波形電圧を印加する。この間に、走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整される。
【００４１】
以上により、初期化動作が終了する。なお、初期化期間の駆動電圧波形としては、図７の第２ＳＦの初期化期間に示したように、初期化期間後半部の電圧波形だけを印加してもよく、この場合には直前のサブフィールドの維持期間において維持放電を行った放電セルで選択的に初期化放電が発生する。
【００４２】
続く書込み期間では、走査電極ＳＣ１〜ＳＣｎに電圧Ｖｃを印加する。このとき、維持電極駆動回路５４においては、スイッチング素子Ｑ２３１、Ｑ２３２はオンにしたまま、スイッチング素子Ｑ２４２を遮断（以下、「オフ」と記す）するとともにスイッチング素子Ｑ２４１をオンさせてコンデンサＣ２４１の電圧に電圧ΔＶｅを重畳する。これにより、維持電極ＳＵ１〜ＳＵｎに電圧Ｖｅ１＋ΔＶｅ、すなわち電圧Ｖｅ２を印加する。また、逆流防止用のダイオードＤ２３１の働きにより、コンデンサＣ２４１から電圧源Ｖｅ１への電流は遮断される。このとき、維持電極駆動回路５４からは、各維持電極用ＦＰＣ５４９および短絡用配線２７を介して全ての維持電極ＳＵ１〜ＳＵｎに対し共通して電圧Ｖｅ２が印加される。
【００４３】
次に、１行目の走査電極ＳＣ１に負の走査パルス電圧Ｖａを印加する。そして、データ電極Ｄ１〜Ｄｍのうち１行目に発光させるべき放電セルのデータ電極Ｄｋ（ｋ＝１〜ｍ）に正の書込みパルス電圧Ｖｄを印加する。するとデータ電極Ｄｋ上と走査電極ＳＣ１上との交差部の電圧差は、外部印加電圧の差（Ｖｄ−Ｖａ）にデータ電極Ｄｋ上の壁電圧と走査電極ＳＣ１上の壁電圧との差が加算されたものとなり放電開始電圧を超える。そして、データ電極Ｄｋと走査電極ＳＣ１との間および維持電極ＳＵ１と走査電極ＳＣ１との間に書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。このようにして、１行目の書込み動作が行われる。一方、書込みパルス電圧Ｖｄを印加しなかったデータ電極Ｄ１〜Ｄｍと走査電極ＳＣ１との交差部の電圧は放電開始電圧を超えないので、書込み放電は発生しない。以上の書込み動作をｎ行目の放電セルに至るまで行い、書込み期間が終了する。
【００４４】
続く維持期間では、まず、維持電極駆動回路５４のスイッチング素子Ｑ２１２をオンにする。すると維持電極ＳＵ１〜ＳＵｎ側の電荷は、短絡用配線２７および各維持電極用ＦＰＣ５４９と、インダクタＬ２００とダイオードＤ２０２とスイッチング素子Ｑ２１２とを通してコンデンサＣ２００に流れ始め、維持電極ＳＵ１〜ＳＵｎの電圧が下がり始める。そして、維持電極ＳＵ１〜ＳＵｎの電圧が０（Ｖ）付近まで低下したときスイッチング素子Ｑ２２２をオンにする。すると維持電極ＳＵ１〜ＳＵｎはスイッチング素子Ｑ２２２を通して０（Ｖ）にクランプされる。
【００４５】
さらに、走査電極駆動回路５３を動作させて走査電極ＳＣ１〜ＳＣｎの電圧を電圧Ｖｓまで立ち上げる。
【００４６】
このようにして、維持電極ＳＵ１〜ＳＵｎに０（Ｖ）を印加するとともに走査電極ＳＣ１〜ＳＣｎに正の維持パルス電圧Ｖｓを印加する。すると書込み放電を起こした放電セルでは、走査電極ＳＣｉ上と維持電極ＳＵｉ上との電圧差は、維持パルス電圧Ｖｓに走査電極ＳＣｉ上の壁電圧と維持電極ＳＵｉ上の壁電圧との差が加算されたものとなり、放電開始電圧を超える。そして、走査電極ＳＣｉと維持電極ＳＵｉとの間に維持放電が起こり、このとき発生した紫外線により蛍光体層３５が発光する。
【００４７】
そしてこの放電により、走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生せず、初期化期間の終了時における壁電圧が保たれる。
【００４８】
続いて、走査電極駆動回路５３を動作させて走査電極ＳＣ１〜ＳＣｎの電圧を０（Ｖ）まで立ち下げる。
【００４９】
さらに、維持電極駆動回路５４のスイッチング素子Ｑ２１１をオンにする。すると電力回収用のコンデンサＣ２００から、スイッチング素子Ｑ２１１とダイオードＤ２０１とインダクタＬ２００と、各維持電極用ＦＰＣ５４９および短絡用配線２７とを介して維持電極ＳＵ１〜ＳＵｎに電流が流れ始め、維持電極ＳＵ１〜ＳＵｎの電圧が上がり始める。そして、維持電極ＳＵ１〜ＳＵｎの電圧がＶｓ付近まで上昇したときスイッチング素子Ｑ２２１をオンにする。すると維持電極ＳＵ１〜ＳＵｎはスイッチング素子Ｑ２２１を通して平滑コンデンサＣ２５０の電圧Ｖｓにクランプされる。
【００５０】
このようにして、走査電極ＳＣ１〜ＳＣｎに０（Ｖ）を印加するとともに維持電極ＳＵ１〜ＳＵｎに正の維持パルス電圧Ｖｓを印加する。すると、維持放電を起こした放電セルでは、維持電極ＳＵｉ上と走査電極ＳＣｉ上との電圧差が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。
【００５１】
以降同様に、走査電極ＳＣ１〜ＳＣｎと維持電極ＳＵ１〜ＳＵｎとに交互に輝度重みに応じた数の維持パルスを印加し、表示電極対２４の電極間に電位差を与えることにより、書込み期間において書込み放電を起こした放電セルで維持放電が継続して行われる。
【００５２】
このとき、各放電セルで維持放電を安定して発生させるためには、通常百数十（Ｖ）以上の振幅で立上り時間が１μｓｅｃ以下の急峻な形状を持つ維持パルスを表示電極対２４に印加する必要がある。このため、パネルには瞬間的に大きな電流が流れるが、この電流は表示画面の面積に比例して増大していく。例えば、全ての放電セルのうちの大部分で維持放電が発生するような場合、表示画面サイズが５０インチのパネルであれば２００（Ａ）を超える大きな電流が瞬間的に流れるが、本実施の形態における表示画面サイズが１０３インチのパネル１０では、その約４倍の８００（Ａ）を超える非常に大きな電流が瞬間的に流れる。
【００５３】
そして、維持期間の最後には、走査電極ＳＣ１〜ＳＣｎと維持電極ＳＵ１〜ＳＵｎとの間にいわゆる細幅パルス状の電位差を与えて、データ電極Ｄｋ上の正の壁電圧を残したまま、走査電極ＳＣｉおよび維持電極ＳＵｉ上の壁電圧を減らしている。
【００５４】
こうして維持期間における維持動作が終了する。なお、維持電極駆動回路５４は、前述したように、各維持電極用ＦＰＣ５４９および短絡用配線２７を介して全ての維持電極ＳＵ１〜ＳＵｎに対して同時に維持パルス電圧を印加することで、全ての維持電極ＳＵ１〜ＳＵｎを共通に駆動している。
【００５５】
続くサブフィールドの動作は第１ＳＦの動作とほぼ同様であるため説明を省略する。
【００５６】
図８は、プラズマディスプレイ装置の各電極駆動回路を搭載したプリント基板の配置の一例を示す図である。また、図９は、維持パルス発生用プリント基板５４１に搭載されたコネクタ５４４と維持電極用ＦＰＣ５４９との接続の様子を示す概略図であり、図１０は、維持電極駆動回路５４から出力される駆動電圧の供給の様子を示す概略図である。なお、図８には、プラズマディスプレイ装置のバックカバーを外した状態を概略的に示しており、各電極駆動回路を搭載したプリント基板群とその配置を模式的に示している。
【００５７】
本実施の形態においては、図８に示すように、データ電極駆動回路５２を、１２枚の書込みパルス発生用プリント基板５２１に搭載した構成としている。また、走査電極駆動回路５３は、３枚の走査電極駆動用プリント基板５３１に分割して搭載した構成としている。
【００５８】
また、維持電極ＳＵ１〜ＳＵｎは３枚のプリント基板を用いて駆動するように構成している。すなわち、主基板である維持パルス発生用プリント基板５４１には維持電極駆動回路５４を搭載し、中継基板である２枚の中継用プリント基板５４２には、維持電極駆動回路５４と短絡用配線２７とを電気的に中継するための導線を形成している。そして、維持パルス発生用プリント基板５４１と中継用プリント基板５４２とを電気的に接続することで、維持電極駆動回路５４からの出力を中継用プリント基板５４２を介して短絡用配線２７に印加することができるように構成している。
【００５９】
このように、本実施の形態においては、プリント基板群８４は、１２枚の書込みパルス発生用プリント基板５２１と、３枚の走査電極駆動用プリント基板５３１と、維持パルス発生用プリント基板５４１および２枚の中継用プリント基板５４２とを有するが、これは、単なる一例に過ぎず、プリント基板の枚数や各プリント基板に搭載する駆動回路の構成等は、プラズマディスプレイ装置の仕様等に合わせて最適な構成にすることが望ましい。
【００６０】
また、各プリント基板にはそれぞれ複数のコネクタを搭載している。書込みパルス発生用プリント基板５２１には、前述したＦＰＣ５２９を接続するためのコネクタ５２４をそれぞれ搭載しており、データ電極駆動回路５２から出力される駆動電圧は、コネクタ５２４およびコネクタ５２４に接続されたＦＰＣ５２９を介して、各データ電極Ｄ１〜Ｄｍに印加される。
【００６１】
また、走査電極駆動用プリント基板５３１には、走査電極駆動用プリント基板５３１同士を互いに電気的に接続するためのコネクタ５３３と、前述したＦＰＣ５３９を接続するためのコネクタ５３４とを搭載しており、走査電極駆動回路５３から出力される駆動電圧は、コネクタ５３４およびコネクタ５３４に接続されたＦＰＣ５３９を介して、各走査電極ＳＣ１〜ＳＣｎに印加される。
【００６２】
そして、維持パルス発生用プリント基板５４１および中継用プリント基板５４２には、維持パルス発生用プリント基板５４１と中継用プリント基板５４２とを電気的に接続するためのコネクタ５４３と、短絡用配線２７に接続された前述の維持電極用ＦＰＣ５４９を接続するためのコネクタ５４４とを搭載している。維持パルス発生用プリント基板５４１と２枚の中継用プリント基板５４２とは、図９にも示すように、維持パルス発生用プリント基板５４１のコネクタ５４３と中継用プリント基板５４２のコネクタ５４３とをケーブル５４５によって接続することで電気的に接続することができる。また、図１０において破線で示すように、維持電極駆動回路５４から出力される駆動電圧は、コネクタ５４３およびコネクタ５４３に接続されたケーブル５４５を介して中継用プリント基板５４２に供給されるとともに、コネクタ５４４およびコネクタ５４４に接続された維持電極用ＦＰＣ５４９を介して短絡用配線２７に印加され、全ての維持電極ＳＵ１〜ＳＵｎに印加される。なお、本実施の形態では、維持パルス発生用プリント基板５４１および中継用プリント基板５４２にコネクタ５４４をそれぞれ４つずつ搭載し、コネクタ５４３を１つずつ搭載した例を示したが、これは、単なる一例に過ぎず、プラズマディスプレイ装置の仕様等に合わせて最適な構成にすることが望ましい。
【００６３】
ここで、維持期間においては、前述した維持放電にともない、維持放電を起こした放電セルの数に応じた放電電流が流れる。そして、この電流は表示画面の面積に比例して増大し、本実施の形態における表示画面サイズが１０３インチのパネル１０では、表示画面サイズが５０インチのパネルの約４倍の電流が流れる。例えば、全ての放電セルのうちの大部分で維持放電が発生するような場合、８００（Ａ）を超える非常に大きな電流が瞬間的に流れることもある。
【００６４】
このように、本実施の形態におけるパネル１０では、維持期間においてこれまでとは比較にならないほどの大電流が発生するため、全ての維持電極用ＦＰＣ５４９が、対応する引き出し電極２８に確実に接続され、かつ対応するそれぞれのコネクタ５４４に確実に接続されていることが重要である。
【００６５】
このとき、例えば、対応する引き出し電極２８との間に接続不良を生じた維持電極用ＦＰＣ５４９があれば、その維持電極用ＦＰＣ５４９を介して流れるはずの電流が、正常に接続されている維持電極用ＦＰＣ５４９を介して流れるようになる。そのような場合は、正常に接続されている維持電極用ＦＰＣ５４９に過大な負荷がかかることになるため、接続不良を生じた維持電極用ＦＰＣ５４９を正しく接続しなおす等の対応を早急に行う必要がある。すなわち、本実施の形態におけるパネル１０のような巨大な表示画面サイズのパネルを用いてプラズマディスプレイ装置を構成する場合には、維持電極用ＦＰＣ５４９に関する接続不良が生じた場合に直ちにそのことを検知できるように構成しておくことが重要である。
【００６６】
そこで、本実施の形態においては、維持パルス発生用プリント基板５４１および２枚の中継用プリント基板５４２に、前述した接続不良検知回路５００をそれぞれ搭載した構成とする。これにより、維持電極用ＦＰＣ５４９に関する接続不良が発生したときに、それを直ちに検知することが可能となる。次に、この構成について説明する。
【００６７】
図１１は、本発明の実施の形態におけるプラズマディスプレイ装置１の維持電極用ＦＰＣ５４９と維持電極駆動回路５４および接続不良検知回路５００との接続の様子を示す概略図である。
【００６８】
図１１に示すように、維持電極用ＦＰＣ５４９は、一方の端部に設けられた電極端子のそれぞれが、短絡用配線２７から引き出された引き出し電極２８のそれぞれに電気的に接続された状態で、接着材によって前面板２０に固着されている。維持電極用ＦＰＣ５４９の他方の端部はコネクタ５４４に接続可能なように電極端子が形成されている。コネクタ５４４には、維持電極駆動回路５４と接続不良検知回路５００とが電気的に接続されており、コネクタ５４４に維持電極用ＦＰＣ５４９を接続したときに、駆動用導線５４７と維持電極駆動回路５４とが電気的に接続され、接続確認用導線５４８と接続不良検知回路５００とが電気的に接続されるように構成されている。
【００６９】
なお、維持パルス発生用プリント基板５４１および中継用プリント基板５４２に搭載された全てのコネクタ５４４は、維持パルス発生用プリント基板５４１に搭載された維持電極駆動回路５４に電気的に接続されており、維持電極駆動回路５４からの駆動電圧は、それら全てのコネクタ５４４を介して短絡用配線２７に印加される。また、接続不良検知回路５００は維持パルス発生用プリント基板５４１および２枚の中継用プリント基板５４２のそれぞれに搭載されており、１つの接続不良検知回路５００で、そのプリント基板に設けられた全て（本実施の形態では、４対）のコネクタ５４４に接続された維持電極用ＦＰＣ５４９に関する接続不良を監視できるように構成されている。
【００７０】
そして、維持電極用ＦＰＣ５４９が正常に接続された状態では、維持電極駆動回路５４から出力される駆動電圧は、コネクタ５４４と、駆動用導線５４７と、引き出し電極２８とを介して短絡用配線２７に印加され、さらに、引き出し電極２８と、接続確認用導線５４８と、コネクタ５４４とを介して接続不良検知回路５００に入力される。一方、いずれかの維持電極用ＦＰＣ５４９に関して接続不良が生じると、維持電極駆動回路５４から出力される駆動電圧は正常に接続された維持電極用ＦＰＣ５４９を介して短絡用配線２７に印加されるが、接続不良を発生した維持電極用ＦＰＣ５４９では維持電極駆動回路５４と短絡用配線２７との電気的な接続が絶たれる。そのため、維持電極駆動回路５４から出力される駆動電圧は、接続不良を発生した維持電極用ＦＰＣ５４９の接続確認用導線５４８へは伝わらず、その接続確認用導線５４８から接続不良検知回路５００への駆動電圧の入力もなくなる。本実施の形態では、維持電極駆動回路５４から出力される駆動電圧が接続確認用導線５４８から出力されているかどうかを接続不良検知回路５００で検出して、維持電極用ＦＰＣ５４９に関する接続不良を検知している。
【００７１】
この接続不良検知回路５００の詳細について、次に説明する。図１２は、本発明の実施の形態におけるプラズマディスプレイ装置１の接続不良検知回路５００の詳細を示す回路図である。
【００７２】
接続不良検知回路５００は、スイッチング回路５０１と接続回路５１０、５２０、５３０、５４０とを有する。接続回路５１０は、接続確認用導線５４８から出力される維持電極駆動電圧を抵抗分割するための抵抗Ｒ１０、Ｒ１１と、抵抗Ｒ１０とＲ１１との接続点に接続され、抵抗分割された維持電極駆動電圧を平滑化するためのコンデンサＣ１０と、抵抗Ｒ１０とＲ１１との接続点にカソードが接続された逆流防止用のダイオードＤ１０とを有する。接続回路５２０、５３０、５４０は、それぞれ接続回路５１０と同様の構成であり、接続回路５２０は抵抗Ｒ２０、Ｒ２１と、コンデンサＣ２０と、ダイオードＤ２０とを有し、接続回路５３０は抵抗Ｒ３０、Ｒ３１と、コンデンサＣ３０と、ダイオードＤ３０とを有し、接続回路５４０は抵抗Ｒ４０、Ｒ４１と、コンデンサＣ４０と、ダイオードＤ４０とを有する。
【００７３】
スイッチング回路５０１は、スイッチング動作を行わせるためのＰＮＰ型のトランジスタＱ１と、トランジスタＱ１のベースと電圧源Ｖ１との間に配置された抵抗Ｒ１と、トランジスタＱ１のベースに入力される電圧を平滑化するためのコンデンサＣ１と、トランジスタＱ１が動作したときに所定の電圧（以下、「データＨｉ」と記す）を取り出すための抵抗Ｒ２とを有する。
【００７４】
そして、ダイオードＤ１０、Ｄ２０、Ｄ３０、Ｄ４０のアノードは互いに接続されるとともに、スイッチング回路５０１のトランジスタＱ１のベースに接続されている。
【００７５】
なお、抵抗Ｒ１０、Ｒ１１は、振幅約２００（Ｖ）の維持パルスが印加されたときにダイオードＤ１０にかかる電圧がダイオードＤ１０の定格内に抑まるように、かつダイオードＤ１０のカソードの電圧がアノードの電圧（ここでは、電圧源Ｖ１の電圧）よりも高くなるように、各抵抗値を設定する。また、コンデンサＣ１０は、維持パルスを平滑化できるように、その容量値を設定する。また、抵抗Ｒ１は、抵抗Ｒ１０の一端が開放されたときに、トランジスタＱ１のベースに印加される電圧がトランジスタＱ１を動作させる電圧となるように、その抵抗値を設定する。また、抵抗Ｒ２は、トランジスタＱ１が動作したときに出力電圧が「データＨｉ」（例えば、５（Ｖ））となるように、その抵抗値を設定する。そして、本実施の形態では、抵抗Ｒ１０、Ｒ１１を４７ｋΩ、コンデンサＣ１０を０．１μＦ、抵抗Ｒ１を２２ｋΩ、抵抗Ｒ２を１０ｋΩ、コンデンサＣ１を１μＦ、電圧源Ｖ１を５（Ｖ）としているが、これらの値は単なる一例に過ぎず、プラズマディスプレイ装置の仕様に合わせて最適な値に設定することが望ましい。
【００７６】
このような構成の接続不良検知回路５００において、全ての維持電極用ＦＰＣ５４９が正常に接続されていれば、例えば接続回路５１０においては、接続確認用導線５４８およびコネクタ５４４を通ってきた維持電極駆動電圧が抵抗Ｒ１０と抵抗Ｒ１１とで抵抗分割されるとともにコンデンサＣ１０で平滑化されてダイオードＤ１０のカソードに印加される。これにより、ダイオードＤ１０は、カソードの電圧がアノードの電圧よりも高くなって電気的に遮断された状態になる。同様の動作が接続回路５２０、５３０、５４０においても起こり、ダイオードＤ１０、Ｄ２０、Ｄ３０、Ｄ４０はそれら全てが電気的に遮断された状態になる。そのため、トランジスタＱ１は、ベースの電位が電圧源Ｖ１とほぼ同電位、すなわちエミッタとほぼ同電位となって、エミッタ−コレクタ間の電流が遮断され、スイッチング回路５０１の出力電圧はほぼ接地電位（以下、「データＬｏ」と記す）となる。
【００７７】
一方、いずれかの維持電極用ＦＰＣ５４９に接続不良が生じた場合、例えば、維持電極用ＦＰＣ５４９と引き出し電極２８との接続部分に剥がれが生じたり、維持電極用ＦＰＣ５４９がコネクタ５４４から外れたりすると、抵抗Ｒ１０の一端は開放された状態となる。これにより、ダイオードＤ１０はカソードが抵抗Ｒ１１を介して接地された状態となって導通し、コンデンサＣ１０の電圧は、所定の電圧、すなわち電圧源Ｖ１の電圧をダイオードＤ１０を介して抵抗Ｒ１と抵抗Ｒ１１とで抵抗分割した電圧となる。これにより、トランジスタＱ１のベースに印加される電圧は、トランジスタＱ１を動作させる電圧となり、トランジスタＱ１のエミッタ−コレクタ間に電流が流れ、スイッチング回路５０１からは、その電流と抵抗Ｒ２とによる電圧、すなわち「データＨｉ」が出力される。
【００７８】
また、接続回路５１０に接続されたコネクタ５４４および接続回路５２０に接続されたコネクタ５４４において接続不良が生じると、抵抗Ｒ１０および抵抗Ｒ２０の一端は開放された状態となって、抵抗Ｒ１１と抵抗Ｒ２１とが互いに並列に接続された状態となり、コンデンサＣ１０およびコンデンサＣ２０の電圧は、前述の所定の電圧よりも低くなる。この場合も、前述と同様に、トランジスタＱ１のエミッタ−コレクタ間に電流が流れ、スイッチング回路５０１からは「データＨｉ」が出力される。すなわち、接続回路５１０が監視する４つのコネクタ５４４に接続された維持電極用ＦＰＣ５４９の少なくとも１つで接続不良が発生すると、スイッチング回路５０１からは「データＨｉ」が出力される。
【００７９】
本実施の形態においては、この接続不良検知回路５００が、維持パルス発生用プリント基板５４１および２枚の中継用プリント基板５４２のそれぞれに搭載されている。したがって、プラズマディスプレイ装置１において、いずれか一箇所でも維持電極用ＦＰＣ５４９に関する接続不良が生じると、接続不良検知回路５００から「データＨｉ」が出力されて、直ちに接続不良が発生したことを検知することができる。
【００８０】
以上述べたように、本実施の形態においては、維持電極用ＦＰＣ５４９に駆動用導線５４７と接続確認用導線５４８とを設け、維持電極駆動回路５４から出力される駆動電圧を、駆動用導線５４７、短絡用配線２７、接続確認用導線５４８を介して接続不良検知回路５００で検出することで、例えば、維持電極用ＦＰＣ５４９と引き出し電極２８との接続部分に剥がれが生じる等して維持電極用ＦＰＣ５４９に関する接続不良が生じたときに、直ちに接続不良が発生したことを検知することができる。これにより、例えば、接続不良の発生を知らせる表示を行ったり、プラズマディスプレイ装置の電源を強制的にオフする等の対応をとることが可能となる。
【００８１】
図１３、図１４は、本発明において、維持電極用ＦＰＣの他の例を示す図である。
【００８２】
図１３に示す例においては、維持電極用ＦＰＣ５４９ａは、駆動用導線５４７と、その両脇に２本の接続確認用導線５４８とを備えた構成としたものである。この構成では、維持電極用ＦＰＣ５４９に関する接続不良を、より精度を高めて監視することができる。
【００８３】
図１４に示す例においては、維持電極用ＦＰＣ５４９ｂは、２つの駆動用導線５４７と、その間に接続確認用導線５４８とを備えた構成としたものである。
【００８４】
なお、本実施の形態では、接続不良検知回路５００が４つの接続回路５１０、５２０、５３０、５４０を有する構成を説明したが、これは、４つの維持電極用ＦＰＣ５４９の接続不良を監視するために接続不良検知回路５００をこのような構成にしたもので、他の構成としてもよい。なお、接続不良検知回路５００における接続回路の数は、接続不良検知回路５００が監視する維持電極用ＦＰＣ５４９の数に応じて変更することが望ましい。
【００８５】
また、本実施の形態では、接続不良検知回路５００において、１つのスイッチング回路５０１が４つの接続回路５１０、５２０、５３０、５４０と電気的に接続された構成を説明したが、コネクタ５４４と同数だけスイッチング回路５０１を設け、１つ維持電極用ＦＰＣ５４９の接続不良を１つのスイッチング回路５０１で監視する構成であってもよい。あるいは、１つのスイッチング回路５０１に全ての接続回路を接続して、１つのスイッチング回路５０１ですべての維持電極用ＦＰＣ５４９を監視する構成とすることも可能である。
【００８６】
また、本実施の形態では、接続不良検知回路５００において、スイッチング回路５０１を用いて「データＨｉ」を出力する構成を説明したが、何らこの構成に限定されるものではなく、その他の検出手段、例えば電圧検出機能を有するマイクロコンピュータ等を用いて、駆動電圧の有無を検出する構成であってもよい。また、ＮＰＮトランジスタやツェナーダイオード等を用いてスイッチング回路５０１と同様の動作をするように構成することもできる。本実施の形態においては、接続不良検知回路５００においてスイッチング動作を行う回路構成を図１２に示した回路構成に限定するものではなく、接続回路の１つが駆動電圧を検出しなかったときに出力信号を変位させることができるものであれば、どのような回路構成であってもかまわない。
【００８７】
なお、本実施の形態では、接続不良を検知したときに接続不良検知回路５００から「データＨｉ」を出力させる構成を説明したが、スイッチング回路５０１から出力される信号の極性が逆になるようにスイッチング回路５０１を構成し、接続不良を検知したときに「データＬｏ」を出力させる構成としてもよい。
【産業上の利用可能性】
【００８８】
以上のように本発明は、維持電極駆動回路と短絡用配線との間に接続不良が生じたときに、直ちにそれを検知することができるので、プラズマディスプレイ装置の信頼性を高める上で有用な発明である。
【図面の簡単な説明】
【００８９】
【図１】本発明の一実施の形態におけるプラズマディスプレイ装置のパネルの構造を示す分解斜視図
【図２】同パネルの電極配列図
【図３】同パネルの部分拡大図
【図４】同パネルにＦＰＣが接続された様子を示す概略図
【図５】本発明のプラズマディスプレイ装置の回路ブロックの一例を示す図
【図６】同プラズマディスプレイ装置の維持電極駆動回路の詳細を示す回路図
【図７】同プラズマディスプレイ装置の駆動電圧波形図
【図８】同プラズマディスプレイ装置の各電極駆動回路を搭載したプリント基板の配置の一例を示す図
【図９】同プラズマディスプレイ装置の維持パルス発生用プリント基板に搭載されたコネクタと維持電極用ＦＰＣとの接続の様子を示す概略図
【図１０】同プラズマディスプレイ装置の維持電極駆動回路から出力される駆動電圧の供給の様子を示す概略図
【図１１】同プラズマディスプレイ装置の維持電極用ＦＰＣと維持電極駆動回路および接続不良検知回路との接続の様子を示す概略図
【図１２】同プラズマディスプレイ装置の接続不良検知回路の詳細を示す回路図
【図１３】維持電極用ＦＰＣの他の一例を示す図
【図１４】維持電極用ＦＰＣの他の一例を示す図
【符号の説明】
【００９０】
１０    パネル（プラズマディスプレイパネル）
２０    前面板
２２    走査電極
２３    維持電極
２４    表示電極対
２７    短絡用配線
２８    引き出し電極
５４    維持電極駆動回路
２００    維持パルス発生部
５００    接続不良検知回路
５０１    スイッチング回路
５１０，５２０，５３０，５４０    接続回路
５２９，５３９    ＦＰＣ
５４１    維持パルス発生用プリント基板
５４７    駆動用導線
５４８    接続確認用導線
５４９，５４９ａ，５４９ｂ    維持電極用ＦＰＣ
Ｑ２１１，Ｑ２１２，Ｑ２２１，Ｑ２２２，Ｑ２３１，Ｑ２３２，Ｑ２４１，Ｑ２４２    スイッチング素子
Ｃ２００    （電力回収用の）コンデンサ
Ｃ２４１    （充電用の）コンデンサ
Ｄ１０，Ｄ２０，Ｄ３０，Ｄ４０，Ｄ２０１，Ｄ２０２，Ｄ２３１    （逆流防止用の）ダイオード
Ｌ２００    （共振用の）インダクタ
Ｒ１，Ｒ２，Ｒ１０，Ｒ１１，Ｒ２０，Ｒ２１，Ｒ３０，Ｒ３１，Ｒ４０，Ｒ４１    抵抗
Ｃ１，Ｃ１０，Ｃ２０，Ｃ３０，Ｃ４０    コンデンサ
Ｑ１    （ＰＮＰ型）トランジスタ
【図１】
2008083138.tif 000003
【図２】
2008083138.tif 000004
【図３】
2008083138.tif 000005
【図４】
2008083138.tif 000006
【図５】
2008083138.tif 000007
【図６】
2008083138.tif 000008
【図７】
2008083138.tif 000009
【図８】
2008083138.tif 000010
【図９】
2008083138.tif 000011
【図１０】
2008083138.tif 000012
【図１１】
2008083138.tif 000013
【図１２】
2008083138.tif 000014
【図１３】
2008083138.tif 000015
【図１４】
2008083138.tif 000016